(57)【要約】【課題】光学特性測定装置において取得された複数の測定結果の中から、光学特性測定装置において記憶させるべき測定結果をより容易な操作で選択できるようにすること。【解決手段】ＣＰＵ１１は、測定キー２８に対する第１の操作（押圧の開始）に応じて、連続的に、受光光学系７１を介して入力される光の光学特性（測定値）を導出する。そして、ＣＰＵ１１は、測定キー２８に対する第２の操作（押圧の解除）に応じて、第１の操作に応じて導出された光学特性のうち第２の操作のタイミングに対応して導出された光学特性をメモリーに記憶させる。【選択図】図２
2015227792.tif 000002
【特許請求の範囲】
【請求項１】
受光素子を有する受光部と、
前記受光部の出力に基づいて光学特性を導出するための光学特性演算部と、
前記光学特性演算部によって導出された光学特性を記憶するための記憶部と、
外部からの操作を受け付ける操作部とを備え、
前記光学特性演算部は、
前記操作部に対する第１の操作に応じて、連続的に、前記受光部の出力に基づいて光学特性を導出し、
前記操作部に対する第２の操作に応じて、前記第１の操作に応じて導出された光学特性のうち前記第２の操作のタイミングに対応して導出された光学特性を前記記憶部に記憶させる、光学特性測定装置。
【請求項２】
前記第１の操作は、前記操作部を継続的に押圧する操作であり、
前記第２の操作は、前記操作部の継続的な押圧を解除する操作である、請求項１に記載の光学特性測定装置。
【請求項３】
前記第１の操作は、前記操作部に対する単独の押圧操作であり、
前記第２の操作は、前記第１の操作の後に実行された単独の押圧操作である、請求項１に記載の光学特性測定装置。
【請求項４】
前記光学特性演算部は、前記第１の操作に応じて導出された光学特性のうち、前記第２の操作のタイミングに対応して導出された光学特性を第１の種別の光学特性とし、それ以外の光学特性を第２の種別の光学特性として、互いに区別可能な態様で、前記記憶部に記憶させる、請求項１〜請求項３のいずれか１項に記載の光学特性測定装置。
【請求項５】
前記光学特性演算部は、
前記第１または第２の種別の光学特性のうち、前記操作部に対する特定の操作の対象となった光学特性を、第３の種別の光学特性として、前記第１および第２の種別の光学特性に対して区別可能に前記記憶部に記憶させる、請求項４に記載の光学特性測定装置。
【請求項６】
受光素子を有する受光部と、
前記受光部の出力に基づいて光学特性を導出するための光学特性演算部と、
前記光学特性演算部によって導出された光学特性を記憶するための記憶部と、
外部からの操作を受け付ける操作部とを備え、
前記光学特性演算部は、
前記操作部に対する第１の操作に応じて、前記受光部の出力に基づいて光学特性を導出し、当該光学特性を前記記憶部に記憶させ、
前記光学特性演算部は、前記光学特性の前記記憶部への記憶に応じたタイミングで前記操作部に対して第２の操作がなされたことに応じて、当該光学特性の記憶を前記記憶部から削除する、光学特性測定装置。
【請求項７】
前記第２の操作は、前記操作部に対するダブルクリック操作である、請求項６に記載の光学特性測定装置。
【請求項８】
前記第２の操作は、当該第２の操作のために設けられたキーに対する操作である、請求項６に記載の光学特性測定装置。
【請求項９】
前記光学特性演算部は、前記第２の操作が、前記光学特性の前記記憶部から一定時間内に実行された場合に、前記光学特性の記憶を前記記憶部から削除する、請求項６〜請求項８のいずれか１項に記載の光学特性測定装置。
【請求項１０】
受光素子を有する受光部と、記憶部と、外部からの操作を受け付ける操作部とを備えた光学特性測定装置の制御方法であって、前記光学特性測定装置は、コンピュータを備え、
前記コンピュータが、前記操作部に対する第１の操作に応じて、連続的に、前記受光部の出力に基づいて光学特性を導出するステップと、
前記操作部に対する第２の操作に応じて、前記第１の操作に応じて導出された光学特性のうち前記第２の操作のタイミングに対応して導出された光学特性を前記記憶部に記憶させるステップとを備える、光学特性測定装置の制御方法。
【請求項１１】
受光素子を有する受光部と、記憶部と、外部からの操作を受け付ける操作部とを備えた光学特性測定装置の制御方法であって、前記光学特性測定装置は、コンピュータを備え、
前記コンピュータが、前記操作部に対する第１の操作に応じて、前記受光部の出力に基づいて光学特性を導出し、当該光学特性を前記記憶部に記憶させるステップと、
前記光学特性の前記記憶部への記憶に応じたタイミングで前記操作部に対して第２の操作がなされたことに応じて、当該光学特性の記憶を前記記憶部から削除するステップとを備える、光学特性測定装置の制御方法。
【発明の詳細な説明】
【技術分野】
【０００１】
本開示は、光学特性測定装置およびその制御方法に関し、特に、光学特性測定装置における測定結果の記憶態様に関する。
【背景技術】
【０００２】
従来、光学特性測定装置において測定が行なわれた場合、ユーザーは、当該測定の結果を、当該装置等に備えられた記憶装置に記憶させるか、記憶させることなく消去するかを選択することができた。また、特開２００８−１５１７７６号公報（特許文献１）には、所定のサンプリング時間ごとに検出輝度を取得するモード（通常モード）および設定したサンプリング周期ごとに継続して検出輝度を取得するモード（自動記録モード）とで動作することができる輝度測定器が開示されている。当該測定器では、いずれのモードにおいても、取得された検出輝度は自動的に当該測定器において保存される。
【先行技術文献】
【特許文献】
【０００３】
【特許文献１】特開２００８−１５１７７６号公報
【発明の概要】
【発明が解決しようとする課題】
【０００４】
上記のように、従来の光学特性測定装置は、取得された測定結果のそれぞれについて記憶させるかどうかを指示するためのユーザーによる操作を必要とするか、または、取得されたすべての測定結果をユーザーの意思とは関係無く記憶することしかできなかった。後者において、必要な測定結果のみを記憶させ、その他の測定結果を削除するためには、ユーザーは、記憶された測定結果のすべてについて事後的に記憶させるかどうかを選択するための操作を必要とされた。つまり、従来、前者の場合であっても、後者の場合であっても、取得したものの中の一部の測定結果のみを保存する場合、ユーザーは、測定結果ごとに、何らかの操作を必要とされた。
【０００５】
光学特性測定装置において、上記のように測定結果ごとにユーザーの操作を必要とされる煩雑さが解消されることが望まれている。光学特性測定装置において取得される測定結果は、被測定物の環境等の時々刻々と変化に応じて、時々刻々と変化する場合が多い。したがって、光学特性測定装置では、通常、連続的に複数の測定結果が取得され、当該取得された複数の測定結果の中からユーザーが光学特性測定装置に記憶させておく測定結果を選択することは、頻繁に起こり得ることである。このような事情から、上記のような煩雑さの解消は強く望まれていることである。
【０００６】
本開示は係る実情に鑑み考え出されたものであり、その目的は、光学特性測定装置において取得された複数の測定結果の中から、光学特性測定装置において記憶させるべき測定結果をより容易な操作で選択できるようにすることである。
【課題を解決するための手段】
【０００７】
ある局面によれば、受光素子を有する受光部と、受光部の出力に基づいて光学特性を導出するための光学特性演算部と、光学特性演算部によって導出された光学特性を記憶するための記憶部と、外部からの操作を受け付ける操作部とを備え、光学特性演算部は、操作部に対する第１の操作に応じて、連続的に、受光部の出力に基づいて光学特性を導出し、操作部に対する第２の操作に応じて、第１の操作に応じて導出された光学特性のうち第２の操作のタイミングに対応して導出された光学特性を記憶部に記憶させる、光学特性測定装置が提供される。
【０００８】
好ましくは、第１の操作は、操作部を継続的に押圧する操作であり、第２の操作は、操作部の継続的な押圧を解除する操作である。
【０００９】
好ましくは、第１の操作は、操作部に対する単独の押圧操作であり、第２の操作は、第１の操作の後に実行された単独の押圧操作である。
【００１０】
好ましくは、光学特性演算部は、第１の操作に応じて導出された光学特性のうち、第２の操作のタイミングに対応して導出された光学特性を第１の種別の光学特性とし、それ以外の光学特性を第２の種別の光学特性として、互いに区別可能な態様で、記憶部に記憶させる。
【００１１】
好ましくは、光学特性演算部は、第１または第２の種別の光学特性のうち、操作部に対する特定の操作の対象となった光学特性を、第３の種別の光学特性として、第１および第２の種別の光学特性に対して区別可能に記憶部に記憶させる。
【００１２】
他の局面に従うと、受光素子を有する受光部と、受光部の出力に基づいて光学特性を導出するための光学特性演算部と、光学特性演算部によって導出された光学特性を記憶するための記憶部と、外部からの操作を受け付ける操作部とを備え、光学特性演算部は、操作部に対する第１の操作に応じて、受光部の出力に基づいて光学特性を導出し、当該光学特性を記憶部に記憶させ、光学特性演算部は、光学特性の記憶部への記憶に応じたタイミングで操作部に対して第２の操作がなされたことに応じて、当該光学特性の記憶を記憶部から削除する、光学特性測定装置が提供される。
【００１３】
好ましくは、第２の操作は、操作部に対するダブルクリック操作である。
好ましくは、第２の操作は、当該第２の操作のために設けられたキーに対する操作である。
【００１４】
好ましくは、光学特性演算部は、第２の操作が、光学特性の記憶部から一定時間内に実行された場合に、光学特性の記憶を記憶部から削除する。
【００１５】
さらに他の局面に従うと、受光素子を有する受光部と、記憶部と、外部からの操作を受け付ける操作部とを備えた光学特性測定装置の制御方法であって、光学特性測定装置は、コンピュータを備え、コンピュータが、操作部に対する第１の操作に応じて、連続的に、受光部の出力に基づいて光学特性を導出するステップと、操作部に対する第２の操作に応じて、第１の操作に応じて導出された光学特性のうち第２の操作のタイミングに対応して導出された光学特性を記憶部に記憶させるステップとを備える、光学特性測定装置の制御方法が提供される。
【００１６】
さらに他の局面に従うと、受光素子を有する受光部と、記憶部と、外部からの操作を受け付ける操作部とを備えた光学特性測定装置の制御方法であって、光学特性測定装置は、コンピュータを備え、コンピュータが、操作部に対する第１の操作に応じて、受光部の出力に基づいて光学特性を導出し、当該光学特性を記憶部に記憶させるステップと、光学特性の記憶部への記憶に応じたタイミングで操作部に対して第２の操作がなされたことに応じて、当該光学特性の記憶を記憶部から削除するステップとを備える、光学特性測定装置の制御方法が提供される。
【発明の効果】
【００１７】
本開示によれば、光学特性演算部は、操作部に対する第１の操作に応じて、連続的に、受光部の出力に基づいて光学特性を導出し、そして、操作部に対する第２の操作に応じて、第１の操作に応じて導出された光学特性のうち第２の操作のタイミングに対応して導出された光学特性を記憶部に記憶させる。これにより、ユーザーは、第１の操作によって複数の光学特性（測定結果）を取得でき、そして、記憶部に記憶させることを希望する光学特性が取得されたことに応じて第２の操作を実行することにより、当該測定結果を記憶部に記憶させることができる。つまり、ユーザーは、複数の測定結果を取得しながら、当該複数の測定結果のすべてについてて記憶／削除のための操作を行なうことなく、当該複数の測定結果の中の記憶させたい測定結果を記憶部に記憶させることができる。
【図面の簡単な説明】
【００１８】
【図１】本開示における輝度計の一例について、その側面を概略的に示す図である。
【図２】輝度計のハードウェア構成の一例を示す図である。
【図３】輝度計において実行される、上記のような測定値を導出するための処理（測定処理）の一例の流れを示すフローチャートである。
【図４】図３のフローチャートの変形例を示す図である。
【図５】第２の実施の形態の輝度計において実行される測定処理の一例のフローチャートである。
【図６】第２の実施の形態において実行される、測定値の編集等のための処理（メモリー管理処理）の一例のフローチャートである。
【図７】図６の処理の内容を説明するための図である。
【図８】図６の処理の内容を説明するための図である。
【図９】図６の処理の内容を説明するための図である。
【図１０】図６の処理の内容を説明するための図である。
【図１１】第３の実施の形態の輝度計において実行される測定処理の一例のフローチャートである。
【図１２】第３の実施の形態の輝度計において実行される、メモリーに保存された測定値の編集等のための処理（メモリー管理処理）の一例のフローチャートである。
【図１３】図１２の処理の内容を説明するための図である。
【図１４】図１２の処理の内容を説明するための図である。
【図１５】図１２の処理の内容を説明するための図である。
【図１６】図１２の処理の内容を説明するための図である。
【図１７】第４の実施の形態において実行される測定処理の一例のフローチャートである。
【図１８】図１７に示された処理の第１の変形例のフローチャートである。
【図１９】図１７に示された処理の第１の変形例のフローチャートである。
【図２０】図１７に示された処理の第２の変形例のフローチャートである。
【図２１】図１７に示された処理の第３の変形例のフローチャートである。
【図２２】図１７に示された処理の第４の変形例のフローチャートである。
【図２３】比較例の輝度計において実行される処理のフローチャートである。
【図２４】比較例の輝度計において実行される処理のフローチャートである。
【発明を実施するための形態】
【００１９】
以下、本開示に係る光学特性測定装置の一例である輝度計について、図面を参照して説明する。なお、各図において、同様の作用および機能を奏する構成要素については、同じ符号を付し、その説明は繰返さない。
【００２０】
［第１の実施の形態］
＜輝度計の外観＞
図１は、本開示における輝度計１の一例について、その側面を概略的に示す図である。図１に示されるように、輝度計１は、主に、本体１Ａと、グリップ１Ｂとを含む。
【００２１】
本体１Ａは、受光光学系７１と、表示部３０と、操作パネル２０と、電源スイッチ５０と、ファインダー２９とを含む。ユーザーは、ファインダー２９から、受光光学系７１を介して、輝度計１による輝度の計測対象の部位を視認できる。グリップ１Ｂは、測定キー２８を含む。
【００２２】
操作パネル２０には、複数のキーが設けられている。当該複数のキーは、ファンクションキー２１と、校正キー２２と、バックライトキー２３と、メニューキー２４と、モードキー２５と、データキー２６とを含む。これらのキーのそれぞれには、インジケーター２２Ａ〜２６Ａが設けられている。また、上記複数のキーは、エンターキー２７を含む。
【００２３】
＜輝度計のハードウェア構成＞
図２は、輝度計１のハードウェア構成の一例を示す図である。輝度計１は、受光部７０と、測定部１０とを含む。受光部７０は、たとえばＣＣＤ（Charge Coupled Device）イメージセンサーであり、受光光学系７１を介して入力される光を処理する。より具体的には、受光部７０は、たとえば、受光光学系７１を介して入力された光についての光電変換を実行し、得られた電気信号を測定部１０へ送る。
【００２４】
測定部１０は、受光部７０から出力された信号に基づいて、受光光学系７１を介して入力された光についての光学特性（たとえば、輝度）を導出する。光電変換によって生成された信号に基づく光学特性の導出には、公知の技術を採用することができるため、ここでは、詳細な説明は繰り返さない。
【００２５】
測定部１０の構成をより詳細に説明する。測定部１０は、ＣＰＵ（Central Processing Unit）１１と、ＲＡＭ（Random Access Memory）１２と、メモリー１３とを含む。ＣＰＵ１１は、メモリー１３に不揮発的に保存されたプログラムを実行する。これにより、輝度計１は、上記のような測定等の種々の処理を実行する。ＲＡＭ１２は、ＣＰＵ１１の一次記憶装置として機能する。メモリー１３は、フラッシュメモリー等の、不揮発的（非一時的）にデータを記録する。なお、ＣＰＵ１１は、輝度計１の本体に対して着脱可能な記録媒体に記録されたプログラムを実行することにより、輝度計１の動作を制御する場合もあり得る。
【００２６】
輝度計１は、さらに、表示部３０と、表示画面照明部４０と、電源スイッチ５０と、電源回路６０とを含む。表示部３０は、たとえば、液晶表示装置である。表示画面照明部４０は、バックライト等の、表示部３０に対する照明である。電源回路６０は、外部電源または輝度計１に内蔵される蓄電池から供給される電力から、輝度計１の各部に供給する電力を生成する。測定部１０は、電源をＯＦＦされている状態で電源スイッチ５０を操作されると、電源回路６０に、輝度計１の各部への電力の供給を指示する。
【００２７】
測定部１０は、操作パネル２０内の各種キーおよび測定キー２８を操作されると、操作されたキーに応じた種類の信号を入力される。そして、入力された信号の種類に応じて、測定部１０は、種々の制御を実行する。より具体的には、ファンクションキー２１は、ＩＳＯ感度設定、シャッタースピード設定、階調ビット数設定、γ値設定、限界階調値設定及び階調値テーブル設定等の各種の設定機能を選択するために操作される。校正キー２２は、測定における補正係数の設定のために操作される。バックライトキー２３は、表示画面照明部４０の点灯／消灯を切り替えるために操作される。メニューキー２４は、輝度計１において設定の対象とされるメニューを選択し指定するために操作される。モードキー２５は、輝度計１において測定モード等の動作モードを切り替えるために操作される。データキー２６は、輝度計１において保存されたデータ（測定値を含む）の編集や削除のために操作される。エンターキー２７は、輝度計１において、種々のキーを用いて入力された値の確定等のために操作される。
【００２８】
ユーザーは、測定キー２８を押圧することにより、輝度計１に、輝度の計測を開始させることができる。測定キー２８の押圧が継続されている間は、輝度計１は、輝度の計測を継続する。輝度の計測が継続されている場合、輝度計１は、たとえば、所与の時間間隔で、受光光学系７１を介して入力された光に対する測定値を導出し、ファインダー２９および／または表示部３０に、当該測定値を表示する。ユーザーは、表示された測定値を確認する等によって、輝度計１に計測を終了させてもよいと判断すると、測定キー２８の押圧を解除する。これにより、輝度計１は、連続的な計測を終了させ、測定キー２８の押圧が解除されたタイミングに対応して導出された測定値をメモリー１３に保存する。押圧の解除のタイミングに対応して導出された測定値とは、一例では、押圧が解除されたときに受光光学系７１を介して入力された光に対する測定値であり、他の例では、押圧が解除されたときに測定部１０が導出した測定値である。
【００２９】
＜測定処理＞
図３は、輝度計１において実行される、上記のような測定値を導出するための処理（測定処理）の一例の流れを示すフローチャートである。図３を参照して、輝度計１における測定処理の内容を具体的に説明する。なお、ＣＰＵ１１は、たとえば、測定キー２８を操作されたことに応じて、図３の処理を開始する。
【００３０】
図３の処理では、まず、ステップＳ１００で、ＣＰＵ１１は、測定を開始する。測定とは、受光光学系７１を介して入力された光に基づく、測定値を導出するための演算等の処理である。そして、制御は、ステップＳ１１０へ進められる。
【００３１】
ステップＳ１１０で、ＣＰＵ１１は、測定（ステップＳ１００で開始した演算等の処理）を終了する。そして、制御は、ステップＳ１２０へ進められる。
【００３２】
ステップＳ１２０で、ＣＰＵ１１は、測定値（計測結果）を表示部３０へ出力する。これにより、測定値が表示部３０において表示される。なお、測定値は、ファインダー２９へ出力されてもよい。これにより、ファインダー２９においても測定値が表示される。したがって、ユーザーは、ファインダー２９で、計測対象部位とともに測定値を視認することができる。そして、制御は、ステップＳ１３０へ進められる。
【００３３】
ステップＳ１３０で、ＣＰＵ１１は、測定キー２８の押圧が継続されているかどうかを判断する。そして、ＣＰＵ１１は、押圧が継続されていると判断すると（ステップＳ３０でＹＥＳ）、ステップＳ１００へ制御を戻す。これにより、測定値の導出が繰り返される。一方、ＣＰＵ１１は、押圧が解消されていると判断すると（ステップＳ３０でＮＯ）、ステップＳ１４０へ制御を進める。
【００３４】
ステップＳ１４０で、ＣＰＵ１１は、最後に導出した測定値をメモリー１３へ保存して、図３の処理を終了する。
【００３５】
以上説明した第１の実施の形態では、ＣＰＵ１１は、操作部（測定キー２８）に対する第１の操作（押圧の開始）に応じて、連続的に、受光部（受光部７０）の出力に基づいて光学特性を導出する。そして、ＣＰＵ１１は、操作部に対する第２の操作（押圧の解除）に応じて、第１の操作に応じて導出された光学特性のうち第２の操作のタイミングに対応して導出された光学特性を記憶部（メモリー１３）に記憶させる。なお、「連続的」とは、単に連続すればよく、当該連続の時間間隔については等間隔であることを要しない。
【００３６】
また、「第１の操作」と「第２の操作」の組み合わせは、上記のものに限定されない。たとえば、「第１の操作」は測定キー２８に対する１回の押圧操作であり、「第２の操作」は測定キー２８に対する上記「第１の操作」の後の１回の押圧操作であってもよい。このような場合、図３のフローチャートは、たとえば図４に示されるように変更される。
【００３７】
＜変形例＞
図４は、図３のフローチャートの変形例を示す図である。ＣＰＵ１１は、測定キー２８が押圧されたことに応じて、図４の処理を開始する。
【００３８】
図４に示された処理では、ステップＳ１２０で測定値が表示部３０等に出力された後、ＣＰＵ１１は、ステップＳ１３２へ制御を進める。ステップＳ１３２で、ＣＰＵ１１は、図４の処理の開始時に検出された測定キー２８の操作の後、さらに、測定キー２８が操作されたかどうかを判断する。そして、ＣＰＵ１１は、まだ測定キー２８に対する２回目の操作がなされていないと判断すると（ステップＳ１３２でＮＯ）、ステップＳ１００へ制御を戻す。一方、ＣＰＵ１１は、測定キー２８の２回目の操作がなされたと判断すると（ステップＳ１３２でＹＥＳ）、ステップＳ１４０へ制御を進める。これにより、測定が終了し、測定の終了が指示されたタイミングに対応する測定値がメモリー１３に保存される。
【００３９】
［第２の実施の形態］
第２の実施の形態では、輝度計１は、連続的な計測において、当該連続的な計測の終了が指示されると、当該指示のタイミングに対応する測定値とともに、それ以外の測定値も、メモリー１３に保存する。なお、前者の測定値と後者の測定値とは、区別可能な態様で保存される。区別可能な態様の一例として、メモリー１３における測定値のための記憶領域に設定された２つのチャンネル（「第１チャンネル」と「第２チャンネル」）への測定値の保存が挙げられる。
【００４０】
図５は、第２の実施の形態の輝度計１において実行される測定処理の一例のフローチャートである。図５を参照して、図３の測定処理と同様に、第２の実施の形態においても、ＣＰＵ１１は、測定キー２８を操作されると、測定を開始し（ステップＳ１００）、測定を終了し（ステップＳ１１０）、そして、当該測定によって導出された測定値を表示部３０等へ出力する（ステップＳ１２０）。
【００４１】
そして、第２の実施の形態では、ステップＳ１２２で、ＣＰＵ１１は、ステップＳ１２０で出力した測定値を、メモリー１３における上記「第２チャンネル」に保存する。そして、制御は、ステップＳ１３０へ進められる。
【００４２】
ステップＳ１３０では、ＣＰＵ１１は、第１の実施の形態と同様に、測定キー２８の押圧が解除されたかどうかを判断する。そして、ＣＰＵ１１は、押圧が解除されたと判断すると（ステップＳ１３０でＮＯ）、ステップＳ１４２へ制御を進める。
【００４３】
ステップＳ１４２で、ＣＰＵ１１は、測定キー２８の押圧の解除のタイミングに対応する測定値を、上記「第１チャンネル」に保存して、図５の処理を終了する。
【００４４】
図５に示された処理では、測定キー２８の押圧の解除のタイミングに対応する測定値は、ステップＳ１２２で「第２チャンネル」に保存され、また、ステップＳ１４２で「第１チャンネル」に保存される。このような重複した保存を排除するために、ＣＰＵ１１は、ステップＳ１４２で「第１チャンネル」に保存した測定値を、「第２チャンネル」から削除してもよい。
【００４５】
図５に示された処理によれば、輝度計１は、導出された測定値をすべてメモリー１３に保存しつつ、測定キー２８の押圧の解除のタイミングに対応する測定値を、その他の測定値とは区別された態様で、メモリー１３に保存することができる。
【００４６】
上記のように「第１チャンネル」および「第２チャンネル」に保存された測定値は、測定後、データキー２６等の操作によって、編集され得る。図６は、第２の実施の形態において実行される、測定値の編集等のための処理（メモリー管理処理）の一例のフローチャートである。メモリー管理処理は、たとえばデータキー２６を操作されることによって、開始される。光学特性測定装置およびその制御方法
図６を参照して、ステップＳ２００で、ＣＰＵ１１は、第１チャンネルに保存された測定値を読み出して、ステップＳ２１０へ制御を進める。
【００４７】
ステップＳ２１０で、ＣＰＵ１１は、第２チャンネルに保存された測定値を読み出して、ステップＳ２２０へ制御を進める。
【００４８】
ステップＳ２２０で、ＣＰＵ１１は、ステップＳ２００で読み出した測定値と、ステップＳ２１０で読み出した測定値とを、互いに区別可能な状態で並べて、表示部３０に表示する。そして、制御は、ステップＳ２３０へ進められる。
【００４９】
ステップＳ２３０で、ＣＰＵ１１は、ユーザーからの操作パネル２０上の適切なキーの操作に基づいて、第２チャンネルから第１チャンネルに保存場所を移動させる測定値を選択する。そして、ＣＰＵ１１は、エンターキー２７に対する操作等に応じて、ステップＳ２４０へ制御を進める。
【００５０】
ステップＳ２４０で、ＣＰＵ１１は、ステップＳ２３０で選択された測定値の保存場所を第２チャンネルから第１チャンネルに移動させて、図６の処理を終了する。
【００５１】
ここで、図７〜図１０を参照して、図６の処理の内容をより詳細に説明する。図７〜図１０は、図６の処理の内容を説明するための図である。
【００５２】
図７には、図５に示された処理による、メモリー１３における測定値の保存態様が示されている。より具体的には、データの保存領域として「第１チャンネル」と「第２チャンネル」が示されている。第１チャンネルには、「測定終了データ」として、ステップＳ１４２（図５参照）において保存された測定値が保存されている。第２チャンネルには、「操作中データ」として、ステップＳ１２２（図５参照）において保存された測定値が保存されている。なお、図７では、各測定値は、測定された日時を表す文字列（たとえば「2014.3.1_10：05：00」）として示されているが、実際に保存されているのは、当該日時の代わりに、または、当該日時とともに保存される輝度の測定値である。
【００５３】
図８には、ステップＳ２２０における、保存場所に基づいて区別可能な態様での測定値の表示態様が示されている。より具体的には、図８には、図７中の第１チャンネルと第２チャンネルに保存されている測定値が縦方向に並べられて示されている。ただし、図８に示された１２個の測定値のうち、第１チャンネルに保存されている３個の測定値は、第２チャンネルに保存されている９個の測定値とは異なる態様で（ハッチングを付されて）、示されている。
【００５４】
図９には、ステップＳ２３０において選択された測定値が模式的に指示されている。より具体的には、図９では、第２チャンネルに保存されている２個の測定値（上から６番目および７番目の測定値）が、選択された状態が示されている。
【００５５】
図１０には、ステップＳ２４０において保存場所を変更された後の測定値の保存態様が示されている。図１０では、図７と比較して、第１チャンネルに保存されている測定値の数が２個増えている。第１チャンネルに追加された２個の測定値は、図９において指示された、第２チャンネルの中の２個の測定値である。
【００５６】
［第３の実施の形態］
第３の実施の形態では、輝度計１は、第２の実施の形態において「第１チャンネル」に保存される測定値の中でも差別化を図ることができる。より具体的には、第３の実施の形態の輝度計１では、メモリー１３において、第１〜第３チャンネルのそれぞれに対応する３つの記憶領域が定義される。そして、第３の実施の形態では、「第１チャンネル」に保存される測定値のうち、特別な操作の対象となった測定値は、第３チャンネルに保存される。図１１は、第３の実施の形態の輝度計１において実行される測定処理の一例のフローチャートである。
【００５７】
図１１に示されるように、図３の測定処理と同様に、第３の実施の形態においても、ＣＰＵ１１は、測定キー２８を操作されると、測定を開始し（ステップＳ１００）、測定を終了し（ステップＳ１１０）、そして、当該測定によって導出された測定値を表示部３０等へ出力する（ステップＳ１２０）。
【００５８】
そして、ステップＳ１２２で、ＣＰＵ１１は、ステップＳ１２０で出力した測定値をメモリー１３の第２チャンネルに保存する。そして、制御はステップＳ１３０へ進められる。
【００５９】
ステップＳ１３０で、ＣＰＵ１１は、測定キー２８の押圧が継続されているかどうかを判断する。そして、ＣＰＵ１１は、押圧が継続されていると判断するとステップＳ１００へ制御を戻し（ステップＳ１３０でＹＥＳ）、押圧が解除されていると判断するとステップＳ１４２へ制御を進める（ステップＳ１３０でＮＯ）。
【００６０】
ステップＳ１４２で、ＣＰＵ１１は、測定キー２８の押圧の解除のタイミングに対応した測定値を、メモリー１３の第１チャンネルに保存する。そして、制御は、ステップＳ１４４へ進められる。
【００６１】
ステップＳ１４４で、ＣＰＵ１１は、保存キー（たとえば、データキー２６）が操作されたかどうかを判断する。そして、ＣＰＵ１１は、保存キーが操作されたと判断するとステップＳ１４６へ制御を戻し（ステップＳ１４４でＹＥＳ）、保存キーが操作されなかったと判断すると図１１の処理を終了する（ステップＳ１４４でＮＯ）。
【００６２】
ステップＳ１４６で、ＣＰＵ１１は、直前のステップＳ１４２において第１チャンネルに保存された測定値を、第３チャンネルに保存して、図１１の処理を終了する。
【００６３】
図１１の処理によれば、ユーザーは、測定時に、すべての測定値をメモリー１３に保存させることができる。さらに、ユーザーは、第１チャンネルと第２チャンネルとを利用して、測定キー２８の押圧の解除のタイミングに対応した測定値を他のタイミングに対応した測定値に対して区別可能な態様でメモリー１３に保存できる。さらに、第１チャンネルと第３チャンネルとを利用して、上記のように第２チャンネルに保存される測定値に対して区別可能な測定値を、さらに、保存キーの押圧という操作によって、差別化を図りつつメモリー１３に保存することができる。
【００６４】
図１２は、第３の実施の形態の輝度計１において実行される、メモリー１３に保存された測定値の編集等のための処理（メモリー管理処理）の一例のフローチャートである。メモリー管理処理は、たとえばデータキー２６を操作されることによって、開始される。
【００６５】
図１２に示された処理では、図６に示された処理と同様に、ＣＰＵ１１は、ステップＳ２００で、第１チャンネルに保存された測定値を読み出し、そして、ステップＳ２１０で、第２チャンネルに保存された測定値を読み出す。そして、ＣＰＵ１１は、ステップＳ２１２で、第３チャンネルに保存された測定値を読み出す。そして、制御は、ステップＳ２２２へ進められる。
【００６６】
ステップＳ２２２で、ＣＰＵ１１は、第１〜第３チャンネルのそれぞれに保存された測定値を、互いに区別可能な状態で並べて、表示部３０に表示する。そして、制御は、ステップＳ２３０へ進められる。
【００６７】
ステップＳ２３０で、ＣＰＵ１１は、ユーザーからの操作パネル２０上の適切なキーの操作に基づいて、保存場所を移動させる測定値を選択する。そして、ＣＰＵ１１は、エンターキー２７に対する操作等に応じて、ステップＳ２４０へ制御を進める。
【００６８】
ステップＳ２４０で、ＣＰＵ１１は、ステップＳ２３０で選択された測定値の保存場所を、指定された態様で移動させて、図１２の処理を終了する。
【００６９】
ここで、図１３〜図１６を参照して、図１２の処理の内容をより詳細に説明する。図１３〜図１６は、図１２の処理の内容を説明するための図である。
【００７０】
図１３には、図１１に示された処理による、メモリー１３における測定値の保存態様が示されている。より具体的には、データの保存領域として「第１チャンネル」と「第２チャンネル」と「第３チャンネル」が示されている。第１チャンネルには、「測定終了データ」として、ステップＳ１４２（図１１参照）において保存された測定値のうち、ステップＳ１４４（図１１参照）において、当該測定値に対して保存キーが操作されなかった測定値が保存されている。第２チャンネルには、「操作中データ」として、ステップＳ１２２（図１１参照）において保存された測定値が保存されている。第３チャンネルには、「測定終了データ」として、ステップＳ１４２において保存された測定値のうち、ステップＳ１４４において、当該測定値に対して保存キーが操作された測定値が保存されている。
【００７１】
図１４には、ステップＳ２２２（図１２参照）における、保存場所に基づいて区別可能な態様での測定値の表示態様が示されている。より具体的には、図１４には、図１３中の第１チャンネルと第２チャンネルと第３チャンネルに保存されている測定値が縦方向に並べられて示されている。ただし、図１４に示された１２個の測定値のうち、第１チャンネルに保存されている２個の測定値と第３チャンネルに保存されている１個の測定値は、第２チャンネルに保存されている９個の測定値とは異なる態様で（ハッチングを付されて）、示されている。また、第１チャンネルに保存されている２個の測定値に対して、第３チャンネルに保存されている１個の測定値は、異なる種類のハッチングを付されて、示されている。
【００７２】
図１５には、ステップＳ２３０において選択された測定値が模式的に指示されている。より具体的には、図１５では、第１チャンネルに保存されている１個の測定値（上から４番目の測定値）第２チャンネルに保存されている１個の測定値（上から３番目の測定値）が、選択された状態が示されている。
【００７３】
図１６には、ステップＳ２４２において保存場所を変更された後の測定値の保存態様が示されている。図１６では、図１３と比較して、第３チャンネルに保存されている測定値の数が２個増えている。第３チャンネルに追加された２個の測定値は、図１５において指示された、第１チャンネルの中の１個の測定値と第２チャンネルの中の１個の測定値である。
【００７４】
［第４の実施の形態］
第４の実施の形態では、輝度計１は、１回の測定値についての測定終了ごとに、測定値をメモリー１３に保存する。ただし、１回の測定値についての測定終了ごとに、削除キー（たとえば、モードキー２５で代用される）が押圧されると、一旦メモリー１３に保存された測定値が削除される。
【００７５】
図１７は、第４の実施の形態において実行される測定処理の一例のフローチャートである。ＣＰＵ１１は、測定キー２８を操作されたことに応じて、図１７の処理を開始する。
【００７６】
図１７を参照して、ＣＰＵ１１は、測定キー２８を操作されると、測定を開始し（ステップＳ５１０）、測定を終了し（ステップＳ５２０）、そして、当該測定によって導出された測定値を表示部３０等へ出力する（ステップＳ５３０）。ステップＳ５３０では、測定値はＲＡＭ１２に格納されている。
【００７７】
次に、ステップＳ５４０で、ＣＰＵ１１は、ＲＡＭ１２に格納されている測定値を、メモリー１３に格納する。そして、制御はステップＳ５５０へ進められる。
【００７８】
ステップＳ５５０で、ＣＰＵ１１は、ステップＳ５４０でメモリー１３に保存された測定値を削除するための操作が実行されたかどうかを判断する。そして、ＣＰＵ１１は、当該操作が実行されたと判断するとステップＳ５６０へ制御を進め（ステップＳ５５０でＹＥＳ）、当該操作は実行されていないと判断すると図１７の処理を終了する（ステップＳ５５０でＮＯ）。なお、ステップＳ５５０において、ＣＰＵ１１は、たとえば特定の操作（測定を終了させるためのキーの操作）がなされる前に上記測定値を削除するための操作が実行されたことを検出すると、ステップＳ５６０へ制御を進める。また、ＣＰＵ１１は、たとえば上記測定値を削除するための操作が実行される前に上記特定の操作が実行されたことを検出すると、ステップＳ５６０の制御を実行することなく図１７の処理を終了する。
【００７９】
以上説明された第４の実施の形態では、測定値は、ステップＳ５３０でＲＡＭ１２に一時的に格納された後、ステップＳ５４０でメモリー１３で保存される。そして、ステップＳ５５０で削除操作が実行されたと判断されると、当該削除操作に対応する測定値が、メモリー１３から削除される。なお、ＲＡＭ１２に一時的に格納された測定値が、メモリー１３に保存される前に、上記削除操作が実行されたか否かが判断されてもよい。これにより、削除操作の対象となった測定値は、メモリー１３に保存される前に、ＲＡＭ１２から削除される。
【００８０】
＜第１の変形例＞
図１８および図１９は、図１７に示された処理の第１の変形例のフローチャートである。
【００８１】
図１８に示されるように、測定キー２８の操作がなされると、ＣＰＵ１１は、ステップＳ５１０〜Ｓ５４０の制御を実行して、一旦、測定処理を終了する。
【００８２】
その後、ＣＰＵ１１は、ステップＳ５４０においてメモリー１３に格納された測定値に関連付けられて削除キーを押されたことに応じて、図１９に示された処理を開始する。より具体的には、たとえば輝度計１においてメモリー１３に格納されている測定値の一覧表示がなされているときに、ステップＳ５４０においてメモリー１３に格納された測定値を選択する操作につづいて削除キーが押されたとき、ＣＰＵ１１は、図１９に示された処理を開始する。
【００８３】
図１９に示されるように、削除キーを押されると、ステップＳ５６２で、ＣＰＵ１１は、メモリー１３中の測定値を削除する。削除される測定値は、上記一覧表示の中から選択された測定値である。
【００８４】
＜第２の変形例＞
図２０は、図１７に示された処理の第２の変形例のフローチャートである。第２の変形例では、ＣＰＵ１１は、メモリー１３に測定値を保存した後、一定期間（たとえば、１０秒間）内に当該測定値に対する削除操作が行なわれたかどうかを判断する。そして、保存の後、当該一定期間内に削除操作が行われなければ、当該測定値をメモリー１３に保存したまま測定処理を終了する。
【００８５】
より具体的には、図２０に示された処理では、ＣＰＵ１１は、ステップＳ５４０で、メモリー１３に測定値を保存した後、ステップＳ５４２へ制御を進める。
【００８６】
ステップＳ５４２で、ＣＰＵ１１は、ステップＳ５４０でメモリー１３に測定値を保存してから一定期間が経過したかどうかを判断する。そして、ＣＰＵ１１は、まだ経過していないと判断すると（ステップＳ５４２でＮＯ）、ステップＳ５５０で、削除操作が実行されたかどうかを判断する。一方、ＣＰＵ１１は、ステップＳ５４２において一定期間が経過したと判断すると、そのまま図２０の処理を終了する（ステップＳ５４２でＹＥＳ）。
【００８７】
ステップＳ５４０で、ＣＰＵ１１は、削除操作が実行されたと判断すると（ステップＳ５５０でＹＥＳ）、ステップＳ５６０で、ステップＳ５４０でメモリー１３に保存した測定値をメモリー１３から削除して、図２０の処理を終了する。なお、ステップＳ５４０で、ＣＰＵ１１は、削除操作が実行されていないと判断すると（ステップＳ５５０でＮＯ）、ステップＳ５４２へ制御を戻す。
【００８８】
図２０に示された処理は、ステップＳ５４０で、測定値が保存された後、「測定値を保存しました」等のメッセージの表示によって当該保存が報知されてもよく、そして、ステップＳ５４２では、ＣＰＵ１１は、当該報知から一定期間が経過したかどうかを判断してもよい。
【００８９】
＜第３の変形例＞
図２１は、図１７に示された処理の第３の変形例のフローチャートである。第３の変形例では、「削除操作」は、図３を参照して説明されたような連続的な測定において保存された測定値の削除のために行なわれる。
【００９０】
より具体的には、図２１に示された処理では、ＣＰＵ１１は、ステップＳ５３０で測定値を出力した後、ステップＳ５３２で、測定キー２８の押圧が継続されているかどうかを判断する。そして、ＣＰＵ１１は、押圧が継続されていると判断すると（ステップＳ５３２でＹＥＳ）、ステップＳ５１０へ制御を戻す。一方、ＣＰＵ１１は、測定キー２８の押圧が解除されていると判断すると（ステップＳ５３２でＮＯ）、ステップＳ５４０へ制御を進める。
【００９１】
ステップＳ５４０で、ＣＰＵ１１は、測定キー２８の押圧解除のタイミングに対応する測定値をメモリー１３に保存して、ステップＳ５５０へ制御を進める。そして、ＣＰＵ１１は、ステップＳ５５０で削除操作がなされたと判断すると（ステップＳ５５０でＹＥＳ）、ＣＰＵ１１は、ステップＳ５６０で、ステップＳ５４０で保存した測定値をメモリー１３から削除して、図２１の処理を終了する。一方、ステップＳ５５０で削除操作がなされなかったと判断すると（ステップＳ５５０でＮＯ）、ＣＰＵ１１は、ステップＳ５４０で保存した測定値をメモリー１３から削除することなく、図２１の処理を終了する。
【００９２】
＜第４の変形例＞
図２２は、図１７に示された処理の第４の変形例のフローチャートである。第４の変形例では、第３の変形例に加え、さらに、測定値の保存から一定期間だけ、「削除操作」が実行されたかどうかが判断される。そして、上記一定期間内に「削除操作」の実行が検出されると、上記測定値が削除される。
【００９３】
より具体的には、図２２の処理では、図２１に示された処理と比較して、ステップＳ５４０で測定値がメモリー１３に保存された後、ＣＰＵ１１は、ステップＳ５４２へ制御を進める。ステップＳ５４２では、ＣＰＵ１１は、ステップＳ５４０における測定値の保存から一定期間が経過したかどうかを判断する。そして、ＣＰＵ１１は、まだ経過していないと判断すると（ステップＳ５４２でＮＯ）、ステップＳ５５０で削除操作の有無を判断する。一方、ＣＰＵ１１は、上記一定期間が経過したと判断すると（ステップＳ５４２でＹＥＳ）、図２２の処理を終了する。
【００９４】
［比較例］
本開示に係る輝度計１に対する比較例について、説明する。図２３および図２４は、比較例の輝度計において実行される処理のフローチャートである。
【００９５】
図２３に示された処理では、１回の測定ごとに、つまり、１個の測定値が導出されるたびに、ユーザは、当該測定値を保存するかどうかの操作を必要とされる。
【００９６】
より具体的には、図２３に示されるように、比較例の輝度計では、ステップＳＡ１００で測定が開始され、ステップＳＡ１０２で測定が終了すると、ステップＳＡ１０４で測定値が表示等によって出力される。
【００９７】
そして、ステップＳＡ１０６において、当該測定値を保存する操作がなされたかどうかが判断される。当該操作がなされたと判断されると（ステップＳＡ１０６でＹＥＳ）、ステップＳＡ１０８で当該測定値がメモリーで保存される。一方、ステップＳＡ１０６において、当該測定値を保存する操作がなされなかった、または、保存しない操作がなされたと判断されると（ステップＳＡ１０６でＮＯ）、測定値がメモリーで保存されることなく、処理が終了する。
【００９８】
図２４に示された処理では、得られた測定値がすべて一様に保存された。
より具体的には、図２４に示されるように、比較例の輝度計では、ステップＳＡ２００で測定が開始され、ステップＳＡ２０２で測定が終了すると、ステップＳＡ２０４で、測定値が表示等によって出力される。そして、ステップＳＡ２０６で、当該測定値がメモリーで保存される。
【００９９】
一方、たとえば図３を参照して説明したように、本開示の輝度計１では、測定キー２８の押圧が解除されると、測定が終了するとともに、当該解除のタイミングに対応する測定値がメモリー１３に保存された。これにより、ユーザーは、測定値を保存するための特別な操作を実行することなく、所望の測定値をメモリー１３に保存することができる。また、すべての測定値が一様にメモリー１３に保存される例とは異なり、本開示の輝度計１は、（測定キー２８の操作の解除のタイミングに対応する）所望の測定値のみを、メモリー１３に保存することができる。これにより、効率よく、かつ、ユーザに与える負荷を最小限に抑えながら、メモリー１３に格納される測定値の数を減らすことができる。
【０１００】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、実施の形態および各変形例において説明された発明は、可能な限り、単独でも、組合わせても、実施することが意図される。
【符号の説明】
【０１０１】
１  輝度計、１Ａ  本体、１Ｂ  グリップ、１０  測定部、１１  ＣＰＵ、１２  ＲＡＭ、１３  メモリー、２０  操作パネル、２８  測定キー。
【図１】
2015227792.tif 000003
【図２】
2015227792.tif 000004
【図３】
2015227792.tif 000005
【図４】
2015227792.tif 000006
【図５】
2015227792.tif 000007
【図６】
2015227792.tif 000008
【図７】
2015227792.tif 000009
【図８】
2015227792.tif 000010
【図９】
2015227792.tif 000011
【図１０】
2015227792.tif 000012
【図１１】
2015227792.tif 000013
【図１２】
2015227792.tif 000014
【図１３】
2015227792.tif 000015
【図１４】
2015227792.tif 000016
【図１５】
2015227792.tif 000017
【図１６】
2015227792.tif 000018
【図１７】
2015227792.tif 000019
【図１８】
2015227792.tif 000020
【図１９】
2015227792.tif 000021
【図２０】
2015227792.tif 000022
【図２１】
2015227792.tif 000023
【図２２】
2015227792.tif 000024
【図２３】
2015227792.tif 000025
【図２４】
2015227792.tif 000026